(57)【要約】【課題】操作者が種々の診療データを多角的に比較できるようにすること。【解決手段】実施形態に係る医用情報処理装置は、特定部と、取得部と、決定部と、表示制御部とを備える。特定部は、複数種類の診療データの中から主データを特定する。取得部は、前記主データを基準として、前記主データとの関連度が高い診療データである周辺データを取得する。決定部は、前記周辺データの前記主データに対する属性に応じて、前記主データ及び前記周辺データを表示する際の各データの配置を示す画面構成を決定する。表示制御部は、前記画面構成で前記主データ及び前記周辺データをディスプレイの表示画面に表示する。【選択図】図１７
2020067842.tif 000002
【特許請求の範囲】
【請求項１】
複数種類の診療データの中から主データを特定する特定部と、
前記主データを基準として、前記主データとの関連度が高い診療データである周辺データを取得する取得部と、
前記周辺データの前記主データに対する属性に応じて、前記主データ及び前記周辺データを表示する際の各データの配置を示す画面構成を決定する決定部と、
前記画面構成でディスプレイの表示画面に前記主データ及び前記周辺データを表示する表示制御部と
を備える、医用情報処理装置。
【請求項２】
前記取得部は、前記主データを基準として、前記診療データごとに前記関連度を導出し、当該関連度が高い診療データを前記周辺データとして取得する、
請求項１に記載の医用情報処理装置。
【請求項３】
前記取得部は、前記周辺データが前記主データと同種の情報であるか、前記主データを説明する情報であるか、前記主データと比較される可能性が高い情報であるかに基づいて、前記関連度を導出する、
請求項２に記載の医用情報処理装置。
【請求項４】
前記取得部は、さらに、前記周辺データの収集時間に基づいて、前記関連度を導出する、
請求項３に記載の医用情報処理装置。
【請求項５】
前記決定部は、前記ディスプレイの種別を判定し、当該種別に応じて、前記画面構成を決定する、
請求項１〜４のいずれか１つに記載の医用情報処理装置。
【請求項６】
前記取得部は、前記診療データに含まれる識別情報に基づいて、前記主データと同種の情報、前記主データを説明する情報、又は、前記主データと比較される可能性が高い情報に前記周辺データを分類する、
請求項１〜５のいずれか１つに記載の医用情報処理装置。
【請求項７】
前記診療データごとに、前記主データと一緒に閲覧又は操作された回数、或いは、操作者によって定義された指標値が前記関連度として設定された関連度情報を記憶する記憶部をさらに備え、
前記取得部は、前記関連度情報を参照して、前記診療データごとに前記関連度を導出し、当該関連度が閾値以上の診療データを前記周辺データとして取得し、当該周辺データを前記主データと比較される可能性が高い情報に分類する、
請求項６に記載の医用情報処理装置。
【請求項８】
前記決定部は、前記主データを操作者の視線の正面又は表示画面の中央に配置し、前記主データと同種の情報に分類された周辺データを水平方向に時系列に配置するように、前記画面構成を決定する、
請求項６又は７に記載の医用情報処理装置。
【請求項９】
前記決定部は、前記主データを説明する情報に分類された周辺データを前記主データの上側に配置するように、前記画面構成を決定する、
請求項６〜８のいずれか１つに記載の医用情報処理装置。
【請求項１０】
前記決定部は、前記主データと比較される可能性が高い情報として分類された周辺データを前記主データの下側に前記関連度が高い順に配置するように、前記画面構成を決定する、
請求項６〜９のいずれか１つに記載の医用情報処理装置。
【請求項１１】
前記決定部は、操作者の奥行方向の移動又は操作者による操作に応じて、前記表示画面上で前記周辺データの量が変化するように、前記画面構成を決定する、
請求項１〜１０のいずれか１つに記載の医用情報処理装置。
【請求項１２】
前記特定部は、前記ディスプレイに表示された複数種類の診療データの中から操作者が注目している診療データを検出し、当該診療データを前記主データとして特定する、
請求項１〜１１のいずれか１つに記載の医用情報処理装置。
【請求項１３】
前記特定部は、前記操作者の視線又は操作履歴に基づいて、前記主データを特定する、
請求項１２に記載の医用情報処理装置。
【請求項１４】
複数種類の診療データの中から主データを特定し、
前記主データを基準として、前記主データとの関連度が高い診療データである周辺データを取得し、
前記周辺データの前記主データに対する属性に応じて、前記主データ及び前記周辺データを表示する際の各データの配置を示す画面構成を決定し、
前記画面構成でディスプレイの表示画面に前記主データ及び前記周辺データを表示する、
ことを含む、医用情報処理方法。
【発明の詳細な説明】
【技術分野】
【０００１】
本発明の実施形態は、医用情報処理装置及び医用情報処理方法に関する。
【背景技術】
【０００２】
近年、医療技術の高度化によって、日々の診療で収集される診療データの種類及び数が増加しており、医師が診療データを参照して診断や治療方針を判断する方法も複雑化してきている。このことから、医療の現場では、医師が診断や治療方針を検討するために必要な種々の診療データを１つの画面上で表示するシステムが知られている。
【先行技術文献】
【特許文献】
【０００３】
【特許文献１】国際公開第２０１６／０８００６６号
【特許文献２】国際公開第２０１６／０８００７９号
【特許文献３】特開２０１６−０５４８０１号公報
【特許文献４】特開２００８−１０２６６５号公報
【特許文献５】国際公開第２０１１／１２２４０２号
【特許文献６】特開２０１１−０９２６８２号公報
【発明の概要】
【発明が解決しようとする課題】
【０００４】
本発明が解決しようとする課題は、操作者が種々の診療データを多角的に比較できるようにすることである。
【課題を解決するための手段】
【０００５】
実施形態に係る医用情報処理装置は、特定部と、取得部と、決定部と、表示制御部とを備える。特定部は、複数種類の診療データの中から主データを特定する。取得部は、前記主データを基準として、前記主データとの関連度が高い診療データである周辺データを取得する。決定部は、前記周辺データの前記主データに対する属性に応じて、前記主データ及び前記周辺データを表示する際の各データの配置を示す画面構成を決定する。表示制御部は、前記画面構成でディスプレイの表示画面に前記主データ及び前記周辺データを表示する。
【図面の簡単な説明】
【０００６】
【図１】図１は、第１の実施形態に係る医用情報処理装置の構成例を示す図である。
【図２】図２は、第１の実施形態に係る特定機能を説明するための図である。
【図３】図３は、第１の実施形態に係る特定機能を説明するための図である。
【図４】図４は、第１の実施形態に係る取得機能を説明するための図である。
【図５】図５は、第１の実施形態に係る取得機能を説明するための図である。
【図６】図６は、第１の実施形態に係る取得機能を説明するための図である。
【図７】図７は、第１の実施形態に係る取得機能を説明するための図である。
【図８】図８は、第１の実施形態に係る決定機能を説明するための図である。
【図９】図９は、第１の実施形態に係る決定機能を説明するための図である。
【図１０】図１０は、第１の実施形態に係る決定機能を説明するための図である。
【図１１】図１１は、第１の実施形態に係る決定機能を説明するための図である。
【図１２】図１２は、第１の実施形態に係る決定機能を説明するための図である。
【図１３】図１３は、第１の実施形態に係る決定機能を説明するための図である。
【図１４】図１４は、第１の実施形態に係る決定機能を説明するための図である。
【図１５】図１５は、第１の実施形態に係る決定機能を説明するための図である。
【図１６】図１６は、第１の実施形態に係る決定機能を説明するための図である。
【図１７】図１７は、第１の実施形態に係る表示制御機能を説明するための図である。
【図１８】図１８は、第１の実施形態に係る表示制御機能を説明するための図である。
【図１９】図１９は、第１実施形態に係る処理回路の各処理機能によって実現される処理の処理手順を示すフローチャートである。
【図２０】図２０は、図１９に示したステップＳ１３で決定機能によって実現される処理の詳細な処理手順を示すフローチャートである。
【図２１】図２１は、第２の実施形態に係る決定機能を説明するための図である。
【図２２】図２２は、第２の実施形態に係る決定機能を説明するための図である。
【発明を実施するための形態】
【０００７】
以下、図面を参照しながら、医用情報処理装置及び医用情報処理方法の実施形態について詳細に説明する。
【０００８】
（第１の実施形態）
図１は、第１の実施形態に係る医用情報処理装置の構成例を示す図である。
【０００９】
例えば、図１に示すように、本実施形態に係る医用情報処理装置１００は、ネットワーク２００を介して、電子カルテシステム３００や放射線部門システム４００、検体検査システム５００等と通信可能に接続されている。例えば、医用情報処理装置１００及び各システムは病院等に設置され、院内ＬＡＮ（Local  Area  Network）等のネットワーク２００によって相互に接続される。
【００１０】
電子カルテシステム３００は、被検体に対して実施された処方や看護記録に関する診療データを生成して、システム内の記憶回路に記憶する。そして、電子カルテシステム３００は、医用情報処理装置１００からの要求に応じて、記憶回路に記憶されている診療データを医用情報処理装置１００に送信する。
【００１１】
放射線部門システム４００は、被検体に対して実施されたバイタルや画像検査に関する診療データを生成し、システム内の記憶回路に記憶する。ここでいう画像検査には、Ｘ線ＣＴ（Computed  Tomography）装置によって撮像されたＣＴ画像を用いた検査や、ＭＲＩ（Magnetic  Resonance  Imaging）装置によって撮像されたＭＲ画像を用いた検査、超音波診断装置によって撮像された超音波画像を用いた検査、Ｘ線診断装置によって撮像されたＸ線画像を用いた検査等が含まれる。例えば、放射線部門システム４００は、ＰＡＣＳ（Picture  Archiving  and  Communication  System）等を含んでおり、ＤＩＣＯＭ（Digital  Imaging  and  Communications  in  Medicine）に準拠した形式で、ＣＴ画像、ＭＲ画像、超音波画像、Ｘ線画像等の医用画像をデータベースに保管する。そして、放射線部門システム４００は、医用情報処理装置１００からの要求に応じて、記憶回路に記憶されている診療データを医用情報処理装置１００に送信する。
【００１２】
検体検査システム５００は、被検体に対して実施された検体検査に関する診療データを生成し、システム内の記憶回路に記憶する。そして、検体検査システム５００は、医用情報処理装置１００からの要求に応じて、記憶回路に記憶されている診療データを医用情報処理装置１００に送信する。
【００１３】
医用情報処理装置１００は、ネットワーク２００を介して、電子カルテシステム３００、放射線部門システム４００及び検体検査システム５００から各種の診療データを取得し、取得した診療データを用いて各種の情報処理を行う。例えば、医用情報処理装置１００は、ワークステーションやパーソナルコンピュータ、タブレット端末等のコンピュータ機器によって実現される。
【００１４】
具体的には、医用情報処理装置１００は、ＮＷ（network）インタフェース１１０と、記憶回路１２０と、入力インタフェース１３０と、ディスプレイ１４０と、処理回路１５０とを有する。
【００１５】
ＮＷインタフェース１１０は、処理回路１５０に接続されており、医用情報処理装置１００と各システムとの間で行われる各種データの伝送及び通信を制御する。具体的には、ＮＷインタフェース１１０は、各システムから診療データを受信し、受信した診療データを処理回路１５０に出力する。例えば、ＮＷインタフェース１１０は、ネットワークカードやネットワークアダプタ、ＮＩＣ（Network  Interface  Controller）等によって実現される。
【００１６】
記憶回路１２０は、処理回路１５０に接続されており、各種データを記憶する。具体的には、記憶回路１２０は、各システムから受信した診療データを記憶する。例えば、記憶回路１２０は、ＲＡＭ（Random  Access  Memory）、フラッシュメモリ等の半導体メモリ素子や、ハードディスク、光ディスク等によって実現される。なお、記憶回路１２０は、記憶部の一例である。
【００１７】
入力インタフェース１３０は、処理回路１５０に接続されており、操作者から各種指示及び各種情報の入力操作を受け付ける。具体的には、入力インタフェース１３０は、操作者から受け付けた入力操作を電気信号へ変換して処理回路１５０に出力する。例えば、入力インタフェース１３０は、トラックボール、スイッチボタン、マウス、キーボード、操作面へ触れることで入力操作を行うタッチパッド、表示画面とタッチパッドとが一体化されたタッチスクリーン、光学センサを用いた非接触入力回路、及び音声入力回路等によって実現される。なお、本明細書において、入力インタフェース１３０は、マウス、キーボード等の物理的な操作部品を備えるものだけに限られない。例えば、装置とは別体に設けられた外部の入力機器から入力操作に対応する電気信号を受け取り、この電気信号を制御回路へ出力する電気信号の処理回路も入力インタフェース１３０の例に含まれる。
【００１８】
ディスプレイ１４０は、処理回路１５０に接続されており、各種情報及び各種画像を表示する。具体的には、ディスプレイ１４０は、処理回路１５０から送られる各種情報及び各種画像のデータを表示用の電気信号に変換して出力する。例えば、ディスプレイ１４０は、液晶モニタやＣＲＴ（Cathode  Ray  Tube）モニタ、タッチパネル等によって実現される。
【００１９】
処理回路１５０は、入力インタフェース１３０を介して操作者から受け付けた入力操作に応じて、医用情報処理装置１００の構成要素を制御する。具体的には、処理回路１５０は、ＮＷインタフェース１１０から出力される診療データを記憶回路１２０に記憶させる。また、処理回路１５０は、記憶回路１２０から診療データを読み出し、ディスプレイ１４０に表示する。
【００２０】
以上、本実施形態に係る医用情報処理装置１００の構成例について説明した。このような構成のもと、医用情報処理装置１００は、電子カルテシステム３００、放射線部門システム４００及び検体検査システム５００から取得した各種の診療データを、記憶回路１２０によって構築されている統合診療ＤＢ（Data  Base）に蓄積する。
【００２１】
そして、医用情報処理装置１００は、統合診療ＤＢに蓄積された診療データを用いて、医師が診断や治療方針を検討するために必要な種々の診療データを１つの画面上で表示する機能を有している。例えば、医用情報処理装置１００は、ディスプレイ１４０の表示画面を複数の領域に分割し、各領域に異なる種類の診療データを表示する。
【００２２】
ここで、本実施形態では、医用情報処理装置１００は、操作者が種々の診療データを多角的に比較できるように構成されている。
【００２３】
具体的には、本実施形態では、処理回路１５０が、特定機能１５１と、取得機能１５２と、決定機能１５３と、表示制御機能１５４とを有する。なお、特定機能１５１は、特定部の一例である。また、取得機能１５２は、取得部の一例である。また、決定機能１５３は、決定部の一例である。また、表示制御機能１５４は、表示制御部の一例である。
【００２４】
以下、図２〜２２を参照して、処理回路１５０が有する各処理機能について詳細に説明する。なお、本実施形態は、ディスプレイ１４０として、ヘッドマウントディスプレイ（Head  Mounted  Display：ＨＭＤ）、又は、８Ｋモニタ等の高解像度ディスプレイが用いられる場合の例を説明する。
【００２５】
図２及び３は、第１の実施形態に係る特定機能１５１を説明するための図である。
【００２６】
特定機能１５１は、複数種類の診療データの中から主データを特定する。
【００２７】
具体的には、特定機能１５１は、ディスプレイ１４０に表示された複数種類の診療データの中から操作者が注目している診療データを検出し、当該診療データを主データとして特定する。
【００２８】
ここで、特定機能１５１は、操作者の視線に基づいて、主データを特定する。例えば、特定機能１５１は、アイトラッキング等の視線追跡技術を用いて、ディスプレイ１４０の表示画面上で操作者が注視した位置を示す注視位置を連続的に検出し、表示画面上で各診療データが表示されている領域ごとに、注視位置が継続して検出された時間を計測する。そして、特定機能１５１は、予め決められた時間の間、注視位置が継続して検出された領域があった場合に、その領域に表示されている診療データを主データとして特定する。
【００２９】
例えば、図２に示すように、ディスプレイ１４０の表示画面１４１上に、診療データとして、画像データ１１と、投薬データ１２と、検体検査データ１３とが表示されていたとする。この場合に、例えば、特定機能１５１は、表示画面１４１上で操作者が注視した位置を示す注視位置を連続的に検出し、検出した注視位置の分布を示すヒートマップ１４を表示画面１４１上に表示する。また、特定機能１５１は、表示画面１４１上で画像データ１１が表示されている領域、投薬データ１２が表示されている領域、及び、検体検査データ１３が表示されている領域それぞれについて、注視位置が継続して検出された時間を計測する。そして、例えば、画像データ１１が表示されている領域で、予め決められた時間の間、継続して注視位置が検出された場合には、特定機能１５１は、画像データ１１を主データとして特定する。
【００３０】
または、特定機能１５１は、操作者の操作履歴に基づいて、主データを特定してもよい。例えば、特定機能１５１は、ディスプレイ１４０の表示画面１４１に表示中の診療データの中で、過去に同じ操作者によって参照された参照回数が最も多い診療データを主データとして特定する。
【００３１】
例えば、図３に示すように、ディスプレイ１４０の表示画面１４１上に、診療データとして、画像データ１１と、投薬データ１２と、検体検査データ１３とが表示されていたとする。ここで、例えば、表示中の画像データ１１、投薬データ１２及び検体検査データ１３について、画像データ１１の参照回数が３０回であり、投薬データ１２の参照回数が３回であり、検体検査データ１３の参照回数が１２回であった場合には、特定機能１５１は、図３の右側に示すように、画像データ１１を主データとして特定する。
【００３２】
または、特定機能１５１は、表示画面１４１に表示されている診療データの種類の中で、過去に同じ操作者によって参照された参照回数が最も多い種類を特定し、その種類の診療データの中で最新の診療データを、主データとして特定してもよい。例えば、特定機能１５１は、画像データ２１の参照回数が最も多かった場合に、画像データ２１の中で最新の画像データを主データとして特定する。
【００３３】
または、特定機能１５１は、機械学習手法によって、操作者の操作履歴から当該操作者が次に参照する診療データを推定し、推定した診療データを主データとして特定してもよい。この場合には、例えば、特定機能１５１は、操作者の過去の操作履歴及び診療データを学習用データとした機械学習によって生成された学習済みモデルを用いる。そして、特定機能１５１は、当該学習済みモデルに対して操作者の操作履歴を入力することで、当該操作者が次に参照する診療データを出力させるように制御する。
【００３４】
なお、ここでは、特定機能１５１が、操作者の視線又は操作履歴に基づいて、操作者が注目している診療データを検出する場合の例を説明したが、実施形態はこれに限られない。例えば、特定機能１５１は、入力インタフェース１３０を介して、ディスプレイ１４０に表示された複数種類の診療データの中から診療データを指定する操作を操作者から受け付けることで、操作者が注目している診療データを検出してもよい。
【００３５】
図４〜７は、第１の実施形態に係る取得機能１５２を説明するための図である。
【００３６】
取得機能１５２は、特定機能１５１によって特定された主データを基準として、主データとの関連度が高い診療データである周辺データを取得する。
【００３７】
具体的には、取得機能１５２は、主データを基準として、診療データごとに関連度を導出し、当該関連度が高い診療データを周辺データとして取得する。
【００３８】
ここで、取得機能１５２は、診療データに含まれる識別情報に基づいて、主データと同種の情報、主データを説明する情報、又は、主データと比較される可能性が高い情報に周辺データを分類する。そして、取得機能１５２は、周辺データが主データと同種の情報であるか、主データを説明する情報であるか、主データと比較される可能性が高い情報であるかに基づいて、関連度を導出する。
【００３９】
具体的には、取得機能１５２は、診療データに含まれるＤＩＣＯＭタグ（０００８，００１６）の「ＳＯＰ  Ｃｌａｓｓ  ＵＩＤ」に基づいて、主データと同種の情報に分類する周辺データを取得する。
【００４０】
例えば、図４に示すように、ＤＩＣＯＭタグ（０００８，００１６）には、ＤＩＣＯＭ規格によって定義されたオブジェクトとサービスとの組み合わせを識別する「ＳＯＰ  Ｃｌａｓｓ  ＵＩＤ」（ＵＩＤ）と、当該組み合わせの内容を示す「ＵＩＤ  ｎａｍｅ」とが設定される。ここで、ＤＩＣＯＭタグ（０００８，００１６）の「ＳＯＰ  Ｃｌａｓｓ  ＵＩＤ」を参照することによって、同じ種類の診療データを識別することができる。
【００４１】
例えば、取得機能１５２は、主データに含まれるＤＩＣＯＭタグ（０００８，００１６）から「ＳＯＰ  Ｃｌａｓｓ  ＵＩＤ」の値を抽出し、統合診療ＤＢに記憶されている診療データの中から、抽出した値と同じ値の「ＳＯＰ  Ｃｌａｓｓ  ＵＩＤ」を有する診療データを取得する。その後、取得機能１５２は、取得した診療データについて、各周辺データの収集時間（日付、時刻等）に基づいて、主データとの関連度を導出する。このとき、取得機能１５２は、主データと収集時間が近い周辺データほど関連度が高くなるように、各周辺データの関連度を導出する。そして、取得機能１５２は、導出した関連度が閾値以上の診療データを周辺データとして統合診療ＤＢから取得し、当該周辺データを、主データと同種の情報に分類する。
【００４２】
また、取得機能１５２は、ＤＩＣＯＭ  ＳＲ（Structured  Report）の形式で記述された診療データに含まれる参照データを示す識別情報に基づいて、主データを説明する情報に分類する周辺データを取得する。
【００４３】
例えば、図５に示すように、取得機能１５２は、統合診療ＤＢに記憶されているＤＩＣＯＭ  ＳＲの形式で記述された診療データの中から、参照データを示す「Ｉｍａｇｅ  Ｒｅｆｅｒｅｎｃｅ」の情報に基づいて、主データ３１を参照している診療データ２２を取得する。その後、取得機能１５２は、取得した診療データ２２について、各周辺データの詳細度に基づいて、主データとの関連度を導出する。このとき、取得機能１５２は、主データと詳細度が近い周辺データほど関連度が高くなるように、各周辺データの関連度を導出する。そして、取得機能１５２は、導出した関連度が閾値以上の診療データを周辺データとして統合診療ＤＢから取得し、当該周辺データを、主データを説明する情報に分類する。
【００４４】
また、取得機能１５２は、記憶回路１２０によって記憶された関連度情報に基づいて、主データと比較される可能性が高い情報に分類する周辺データを取得する。
【００４５】
この場合には、予め、主データごとに、診療データに含まれるＤＩＣＯＭタグ等に基づいて、周辺データとなり得る複数の診療データが定義される。
【００４６】
例えば、図６に示すように、主データに対して、同種の診療データと、他種の診療データとが定義される。例えば、同種の診療データとして、ＤＩＣＯＭタグ（０００８，００６０）の「Ｍｏｄａｌｉｔｙ」に基づいて、他のモダリティ（例えば、Ｘ線ＣＴ装置、ＭＲＩ装置等）を用いた画像検査に関する診療データが定義される。また、例えば、同種の診療データとして、ＤＩＣＯＭタグ（０００８，００１６）の「ＳＯＰ  Ｃｌａｓｓ  ＵＩＤ」に基づいて、他の撮影検査（例えば、超音波検査の場合は、ドプラシネ検査等）に関する診療データが定義される。また、例えば、他種の診療データとして、投薬に関する診療データと、検体検査に関する診療データとが定義される。ここで、例えば、投薬に関する診療データについては、さらに、処方箋に関する診療データと、点滴に関する診療データと、注射に関する診療データとが定義される。また、例えば、処方箋に関する診療データについては、さらに、薬Ａに関する診療データと、薬Ｂに関する診療データとが定義される。
【００４７】
また、記憶回路１２０には、上述したように定義された診療データごとに、主データと一緒に閲覧又は操作された回数が関連度として設定された関連度情報が記憶される。
【００４８】
例えば、図７に示すように、関連度情報には、主データを示す識別情報（図７に示す表の各行で一番左に示す「ＸＲ１」、「ＸＲ２」、「ＣＴ１」、「薬Ａ」、「検査値Ｂ」）と、診療データを示す識別情報（図７に示す表の各列で一番上に示す「ＸＲ１」、「ＸＲ２」、「ＣＴ１」、「薬Ａ」、「検査値Ｂ」）とに対応付けて、各診療データが各主データと一緒に閲覧又は操作された回数が関連度として設定される。ここで、関連度情報に設定される関連度は、操作者によって各診療データの閲覧又は操作が行われるごとに更新される。
【００４９】
なお、関連度情報に設定される関連度は、主データと一緒に閲覧又は操作された回数に限られず、例えば、操作者によって定義された指標値であってもよい。
【００５０】
そして、取得機能１５２は、記憶回路１２０によって記憶された関連度情報を参照して、診療データごとに関連度を導出し、当該関連度が閾値以上の診療データを周辺データとして統合管理ＤＢから取得し、当該周辺データを、主データと比較される可能性が高い情報に分類する。なお、ここでいう関連度の導出は、関連度情報から関連度を取得することを意味する。
【００５１】
図８〜１６は、第１の実施形態に係る決定機能１５３を説明するための図である。
【００５２】
決定機能１５３は、取得機能１５２によって取得された周辺データの主データに対する属性に応じて、主データ及び周辺データを表示する際の各データの配置を示す画面構成を決定する。
【００５３】
具体的には、決定機能１５３は、ディスプレイ１４０の種別を判定し、当該種別に応じて、画面構成を決定する。
【００５４】
例えば、決定機能１５３は、医用情報処理装置１００に実装されているＯＳ（Operating  System）のＡＰＩ（Application  Programming  Interface）を使用して、ディスプレイ１４０がＨＭＤであるか、高解像度ディスプレイであるかを判定する。また、決定機能１５３は、ＨＭＤ又は高解像度ディスプレイと判定されたディスプレイ１４０の解像度を取得する。そして、決定機能１５３は、記憶回路１２０によって記憶された画面構成情報に基づいて、主データ及び周辺データの配置位置を決定する。
【００５５】
ここで、決定機能１５３は、記憶回路１２０によって記憶された画面構成情報に基づいて、画面構成を決定する。
【００５６】
例えば、図８に示すように、画面構成情報には、ＨＭＤ又は高解像度ディスプレイの解像度を示す情報（図８に示す「４０９６×２１６０」、「８１９２×４３２０」）に対応付けて、診療データを表示する範囲の大きさを示す「アプリケーション幅」及び「アプリケーション高さ」の値と、主データを表示する範囲の大きさを示す「主データ幅」及び「主データ高さ」の値とが設定される。ここで、ＨＭＤについては、操作者の視点を中心とした円球状（楕円球状、又は、正円球状）の視野空間を定義し、当該視野空間におけるｘ，ｙ，ｚ座標に基づいて、各範囲の大きさ及び位置が設定される。例えば、視野空間を表す円球関数のパラメータ（表示平面の曲がり度合い）や、ｘ，ｙ，ｚ座標の定義域等が設定される。
【００５７】
そして、決定機能１５３は、主データを操作者の視線の正面又は表示画面の中央に配置するように、画面構成を決定する。
【００５８】
例えば、図９に示すように、決定機能１５３は、ディスプレイ１４０がＨＭＤである場合には、主データ３１を操作者Ｏの視線の正面に配置する。また、例えば、図１０に示すように、決定機能１５３は、ディスプレイ１４０が高解像度ディスプレイである場合には、主データ３１を表示画面の中央に配置する。このとき、決定機能１５３は、ディスプレイ１４０の種別及び解像度に応じて、画面構成情報に設定されている「主データ幅」及び「主データ高さ」の範囲内に収まるように主データ３１を配置する。
【００５９】
また、決定機能１５３は、主データと同種の情報に分類された周辺データを水平方向に時系列に配置するように、画面構成を決定する。
【００６０】
例えば、図１１に示すように、決定機能１５３は、ディスプレイ１４０がＨＭＤである場合には、操作者Ｏの視線の正面に配置された主データ３１を中心に、水平方向（左右方向）に設定された時間軸に沿って、主データ３１と同種の情報に分類された周辺データ４１を並べて配置する。また、例えば、図１２に示すように、決定機能１５３は、ディスプレイ１４０が高解像度ディスプレイである場合には、表示画面の中央に配置された主データ３１を中心に、水平方向に設定された時間軸に沿って、主データ３１と同種の情報に分類された周辺データ４１を並べて配置する。このとき、決定機能１５３は、ディスプレイ１４０の種別及び解像度に応じて、画面構成情報に設定されている「アプリケーション幅」及び「アプリケーション高さ」の範囲内に収まるように周辺データ４１を配置する。
【００６１】
ここで、決定機能１５３は、主データ３１から左側に、主データ３１より過去に収集された周辺データ４１を収集時間が主データ３１と近いものから順に並べて配置する。また、決定機能１５３は、主データ３１から右側に、主データ３１より未来に収集された周辺データ４１を収集時間が主データ３１と近いものから順に並べて配置する。そして、例えば、決定機能１５３は、主データ３１及び各周辺データ４１に重畳して、各データの収集時間を示す情報を表示する（例えば、図１１及び１２に示す「２０１７／１０／０１」、「２０１７／１０／０７」、「２０１７／１０／１１」、「２０１７／１０／２０」、「２０１７／１１／０１」）。
【００６２】
なお、決定機能１５３は、水平方向に設定される時間軸を主データ３１の左側と右側とで同じスケールにしてもよいし、異なるスケールにしてもよい。また、例えば、決定機能１５３は、周辺データ４１を水平方向に均一に配置したうえで、各周辺データ４１の収集時間に合わせて時間軸のスケールを設定してもよい。
【００６３】
また、決定機能１５３は、主データを説明する情報に分類された周辺データを主データの上側に配置するように画面構成を決定する。
【００６４】
例えば、図１３に示すように、決定機能１５３は、ディスプレイ１４０がＨＭＤである場合には、操作者Ｏの視線の正面に配置された主データ３１の上に、主データ３１を説明する情報に分類された周辺データ５１を配置する。また、例えば、図１４に示すように、決定機能１５３は、ディスプレイ１４０が高解像度ディスプレイである場合には、表示画面の中央に配置された主データ３１の上に、主データ３１を説明する情報に分類された周辺データ５１を配置する。このとき、決定機能１５３は、ディスプレイ１４０の種別及び解像度に応じて、画面構成情報に設定されている「アプリケーション幅」及び「アプリケーション高さ」の範囲内に収まるように周辺データ５１を配置する。
【００６５】
ここで、例えば、主データ３１を説明する情報に分類された周辺データ５１が複数あった場合には、決定機能１５３は、主データ３１から上側に、各周辺データ５１を詳細度が主データ３１に近いものから順に並べて配置する。
【００６６】
また、決定機能１５３は、主データと比較される可能性が高い情報として分類された周辺データを主データの下側に関連度が高い順に配置するように、画面構成を決定する。
【００６７】
例えば、図１５に示すように、決定機能１５３は、ディスプレイ１４０がＨＭＤである場合には、操作者Ｏの視線の正面に配置された主データ３１の下側に、主データ３１と比較される可能性が高い情報として分類された周辺データである別種画像データ６１及び薬剤データ７１を配置する。また、例えば、図１６に示すように、決定機能１５３は、ディスプレイ１４０が高解像度ディスプレイである場合には、表示画面の中央に配置された主データ３１の下側に、主データ３１と比較される可能性が高い情報として分類された周辺データである別種画像データ６１及び薬剤データ７１を配置する。このとき、決定機能１５３は、ディスプレイ１４０の種別及び解像度に応じて、画面構成情報に設定されている「アプリケーション幅」及び「アプリケーション高さ」の範囲内に収まるように別種画像データ６１及び薬剤データ７１を配置する。
【００６８】
ここで、決定機能１５３は、主データ３１の下側に、主データ３１との関連度が高い順に、別種画像データ６１及び薬剤データ７１を配置する。例えば、別種画像データ６１の方が薬剤データ７１より関連度が高かった場合には、決定機能１５３は、主データ３１の下に別種画像データ６１を配置し、さらにその下に薬剤データ７１を配置する。
【００６９】
このとき、例えば、主データ３１と比較される可能性が高い情報として分類された周辺データとして、収集時間が異なる複数の周辺データが取得されていた場合には、決定機能１５３は、主データ３１と同じ時間軸に沿って、水平方向に各周辺データを並べて配置する。例えば、図１５及び１６に示すように、決定機能１５３は、収集時間が異なる複数の別種画像データ６１をそれぞれ主データ３１と同じ時間軸に沿って配置し、薬剤データ７１の処方期間を主データ３１と同じ時間軸のスケールで配置する。
【００７０】
図１７及び１８は、第１の実施形態に係る表示制御機能１５４を説明するための図である。
【００７１】
表示制御機能１５４は、決定機能１５３によって決定された画面構成でディスプレイ１４０の表示画面に主データ及び周辺データを表示する。
【００７２】
具体的には、表示制御機能１５４は、決定機能１５３によって決定された画面構成に従って、特定機能１５１によって特定された主データと、取得機能１５２によって取得された周辺データとを配置して、ディスプレイ１４０の表示画面に表示する。
【００７３】
例えば、図１７に示すように、表示制御機能１５４は、ディスプレイ１４０がＨＭＤである場合に、主データ３１を操作者Ｏの視線の正面に表示する。また、表示制御機能１５４は、主データ３１を中心に、水平方向に設定された時間軸に沿って、主データ３１と同種の情報に分類された周辺データ４１を並べて表示する。また、表示制御機能１５４は、主データ３１の上に、主データ３１を説明する情報に分類された周辺データ５１を表示する。また、表示制御機能１５４は、主データ３１の下側に、主データ３１と比較される可能性が高い情報として分類された周辺データである別種画像データ６１及び薬剤データ７１を表示する。
【００７４】
また、例えば、図１８に示すように、表示制御機能１５４は、ディスプレイ１４０が高解像度ディスプレイである場合には、主データ３１を表示画面の中央に表示する。また、表示制御機能１５４は、主データ３１を中心に、水平方向に設定された時間軸に沿って、主データ３１と同種の情報に分類された周辺データ４１を並べて表示する。また、表示制御機能１５４は、主データ３１の上に、主データ３１を説明する情報に分類された周辺データ５１を表示する。また、表示制御機能１５４は、主データ３１の下側に、主データ３１と比較される可能性が高い情報として分類された周辺データである別種画像データ６１及び薬剤データ７１を表示する。
【００７５】
このような表示によれば、表示画面の左右方向が、時間を表現し、表示画面の上側が、データの詳細度を表現する空間となり、表示画面の下側が、データの幅（種類）を表現する空間となる。具体的には、表示画面の水平方向に沿って、診療データの時間経過による臨床的な変化の度合いが示される。また、表示画面の上側に、診療データの臨床的な詳細度合いが示される。また、表示画面の下側に、他の診療データの時間経過による臨床的な変化度合い、及び、診療行為の効果の度合いが示される。
【００７６】
以上、処理回路１５０が有する各処理機能について説明した。ここで、例えば、処理回路１５０は、プロセッサによって実現される。この場合に、処理回路１５０が有する処理機能は、コンピュータによって実行可能なプログラムの形態で記憶回路１２０に記憶されている。そして、処理回路１５０は、記憶回路１２０から各プログラムを読み出して実行することで、各プログラムに対応する機能を実現する。換言すると、各プログラムを読み出した状態の処理回路１５０は、図１の処理回路１５０に示された各機能を有することとなる。なお、図１では、単一のプロセッサによって各処理機能が実現されるものとして説明したが、複数の独立したプロセッサを組み合わせて処理回路を構成し、各プロセッサがプログラムを実行することにより機能を実現するものとしても構わない。また、処理回路１５０が有する処理機能は、単一又は複数の処理回路に適宜に分散又は統合されて実現されてもよい。また、図１に示す例では、単一の記憶回路１２０が各処理機能に対応するプログラムを記憶するものとして説明したが、複数の記憶回路を分散して配置して、処理回路が個別の記憶回路から対応するプログラムを読み出す構成としても構わない。
【００７７】
図１９は、第１実施形態に係る処理回路１５０の各処理機能によって実現される処理の処理手順を示すフローチャートである。
【００７８】
例えば、図１９に示すように、本実施形態では、特定機能１５１が、ディスプレイに表示された複数種類の診療データの中から主データを特定する（ステップＳ１１）。この処理は、例えば、処理回路１５０が特定機能１５１に対応する所定のプログラムを記憶回路１２０から読み出して実行することにより実現される。
【００７９】
続いて、取得機能１５２が、特定機能１５１によって特定された主データを基準として、記憶回路１２０によって構築されている統合診療ＤＢから、主データとの関連度が高い診療データである周辺データを取得する（ステップＳ１２）。この処理は、例えば、処理回路１５０が取得機能１５２に対応する所定のプログラムを記憶回路１２０から読み出して実行することにより実現される。
【００８０】
続いて、決定機能１５３が、取得機能１５２によって取得された周辺データの主データに対する属性に応じて、主データ及び周辺データを表示する際の各データの配置を示す画面構成を決定する（ステップＳ１３）。この処理は、例えば、処理回路１５０が決定機能１５３に対応する所定のプログラムを記憶回路１２０から読み出して実行することにより実現される。
【００８１】
続いて、表示制御機能１５４が、決定機能１５３によって決定された画面構成でディスプレイ１４０の表示画面に主データ及び周辺データを表示する（ステップＳ１４）。この処理は、例えば、処理回路１５０が表示制御機能１５４に対応する所定のプログラムを記憶回路１２０から読み出して実行することにより実現される。
【００８２】
そして、例えば、処理回路１５０は、操作者によって主データの観察終了が指示されるまでの間（ステップＳ１５，Ｎｏ）、上述した一連の処理を繰り返すように制御する。そして、処理回路１５０は、操作者によって主データの観察終了が指示された場合に（ステップＳ１５，Ｙｅｓ）、各処理機能による処理を終了する。
【００８３】
図２０は、図１９に示したステップＳ１３で決定機能１５３によって実現される処理の詳細な処理手順を示すフローチャートである。
【００８４】
例えば、図２０に示すように、決定機能１５３は、ディスプレイ１４０の種別を判定する（ステップＳ１３１）。
【００８５】
続いて、決定機能１５３は、主データを操作者の視線の正面又は表示画面の中央に配置するように、画面構成を決定する（ステップＳ１３２）。
【００８６】
続いて、決定機能１５３は、主データと同種の情報に分類された周辺データを水平方向に時系列に配置するように、画面構成を決定する（ステップＳ１３３）。
【００８７】
また、決定機能１５３は、主データを説明する情報に分類された周辺データを主データの上側に配置するように、画面構成を決定する（ステップＳ１３４）。
【００８８】
また、決定機能１５３は、主データと比較される可能性が高い情報として分類された周辺データを主データの下側に関連度が高い順に配置するように、画面構成を決定する（ステップＳ１３５）。
【００８９】
ここで、上述したステップＳ１３３の処理、ステップＳ１３４の処理、及び、ステップＳ１３５の処理は、それぞれの順序が入れ替わってもよいし、並列に行われてもよい。
【００９０】
上述したように、第１の実施形態では、特定機能１５１が、複数種類の診療データの中から主データを特定する。また、取得機能１５２が、特定機能１５１によって特定された主データを基準として、主データとの関連度が高い診療データである周辺データを取得する。また、決定機能１５３が、取得機能１５２によって取得された周辺データの主データに対する属性に応じて、主データ及び周辺データを表示する際の各データの配置を示す画面構成を決定する。そして、表示制御機能１５４が、決定機能１５３によって決定された画面構成でディスプレイ１４０の表示画面に主データ及び周辺データを表示する。
【００９１】
このような構成によれば、特定の主データとの関連度が高い周辺データが、当該主データに対する属性に応じて適宜に配置されて、ディスプレイ１４０の表示画面に表示されるようになる。これにより、操作者が種々の診療データを多角的に比較できるようになる。
【００９２】
また、上述した実施形態では、決定機能１５３が、主データを操作者の視線の正面又は表示画面の中央に配置し、主データと同種の情報に分類された周辺データを水平方向に時系列に配置し、主データを説明する情報に分類された周辺データを主データの上側に配置し、主データと比較される可能性が高い情報として分類された周辺データを主データの下側に関連度が高い順に配置するように、画面構成を決定する。
【００９３】
このような構成によれば、表示画面の左右方向に沿って、診療データの時間経過による臨床的な変化の度合いが示され、表示画面の上側に、診療データの臨床的な詳細度合いが示され、表示画面の下側に、他の診療データの時間経過による臨床的な変化度合い、及び、診療行為の効果の度合いが示されるようになる。これにより、また、操作者が、各データの配置位置を調整することなく、多種多様な異なるデータ群を多角的に比較できるようになり、思考を中断せずに診断や治療計画に集中できるようになる。
【００９４】
また、上述した実施形態では、決定機能１５３が、ディスプレイ１４０の種別を判定し、当該種別に応じて、画面構成を決定する。
【００９５】
このような構成によれば、ＨＭＤや高解像度ディスプレイのような各種のディスプレイを用いて、それぞれに最適な表示形式で主データ及び周辺データを表示できるようになる。これにより、操作者が種々の診療データを多角的に比較できるように各診療データをより効果的に提示できるようになる。
【００９６】
例えば、種々の診療データを１つの画面上で表示する方法として、各診療データに対して表示の軸（診療データ空間）を対応付け、任意の軸で診療データを表示する方法も考えられる。このような方法では、任意の軸の２次元への射影によって、診療データが表示されることになる。これに対し、上述した実施形態では、ＨＭＤを用いて、種々の診療データを３次元表示できるようになり、操作者が種々の診療データをより直感的に比較できるようになる。
【００９７】
また、例えば、種々の診療データを１つの画面上で表示する方法として、時系列データを３次元的に遠近法で表現することで、複数の時系列データの大局的な把握を可能にする方法が知られている。このような方法では、現在が手前／過去が奥の一つの時間軸に沿って診療データが表示されるため、例えば、異なる２つの時間の診療データを大局的に把握しながら比較することができない。これに対し、上述した実施形態では、各種の診療データが、時間に加えて、データの詳細度やデータの幅（種類）に応じて対応付けて表示されるので、操作者が種々の診療データをより大局的に把握しながら比較できるようになる。
【００９８】
（第２の実施形態）
なお、上述した第１の実施形態において、例えば、操作者が、表示画面に表示される周辺データの量を任意に変更できるようにしてもよい。以下では、このような場合の例を第２の実施形態として説明する。なお、第２の実施形態では、上述した第１の実施形態と異なる点を中心に説明し、第１の実施形態と共通する点については詳細な説明を省略する。
【００９９】
第２の実施形態では、決定機能１５３が、操作者の奥行方向の移動又は操作者による操作に応じて、表示画面上で周辺データの量が変化するように、画面構成を決定する。
【０１００】
図２１及び２２は、第２の実施形態に係る決定機能１５３を説明するための図である。
【０１０１】
ここで、図２１及び２２は、ディスプレイ１４０がＨＭＤである場合の例を示しており、主データ３１が、操作者Ｏの視線の正面に表示されている。また、主データ３１を中心に、水平方向に設定された時間軸に沿って、主データ３１と同種の情報に分類された周辺データ４１が並べて表示されている。また、主データ３１の上に、主データ３１を説明する情報に分類された周辺データ５１が表示されている。また、主データ３１の下側に、主データ３１と比較される可能性が高い情報として分類された周辺データである別種画像データ６１及び薬剤データ７１が表示されている。
【０１０２】
例えば、決定機能１５３は、ディスプレイ１４０がＨＭＤである場合には、操作者の奥行方向の移動に応じて、表示画面上で周辺データの量が変化するように、画面構成を決定する。
【０１０３】
例えば、図２１に示すように、操作者Ｏが奥側へ移動した場合には、決定機能１５３は、操作者Ｏの移動量に応じて、周辺データの量を減らす。例えば、図２２に示すように、決定機能１５３は、主データ３１と同種の情報に分類された周辺データ４１について、収集時間が主データ３１から遠いものから順に、周辺データの表示を減らす。また、決定機能１５３は、主データ３１と比較される可能性が高い情報として分類された周辺データである別種画像データ６１及び薬剤データ７１について、主データ３１との関連度が低いもの、及び、収集時間が主データ３１から遠いものから順に、周辺データの表示を減らす。一方、操作者Ｏが手前側へ移動した場合には、決定機能１５３は、操作者Ｏの移動量に応じて、周辺データの量を増やす。
【０１０４】
また、決定機能１５３は、ディスプレイ１４０が高解像度ディスプレイである場合には、入力インタフェース１３０を介して受け付けられた操作者による操作に応じて、表示画面上で周辺データの量が変化するように、画面構成を決定する。例えば、決定機能１５３は、入力インタフェース１３０を介して受け付けられた操作の操作量に応じて、ディスプレイ１４０がＨＭＤである場合と同様に、周辺データの量を増減する。
【０１０５】
上述したように、第２の実施形態では、決定機能１５３が、操作者の奥行方向の移動又は操作者による操作に応じて、ディスプレイ１４０の表示画面上で周辺データの量が変化するように、画面構成を決定する。これにより、操作者が、表示画面に表示されている診療データを大局的な表示又は局所的な表示に任意に切り替えることができるようになり、より効率よく診療データを比較できるようになる。
【０１０６】
なお、上述した実施形態では、ディスプレイ１４０として、ＨＭＤ又は高解像度ディスプレイが用いられる場合の例を説明したが、実施形態はこれに限られない。
【０１０７】
例えば、複数の医師等によって診断や治療方針が検討されるカンファレンスでは、カンファレンスに参加している参加者が診療データを見るための複数のパーソナルコンピュータと、全ての参加者が同じ診療データを見るための高解像度ディスプレイとが用いられる場合がある。このような場合にも、本願が開示する医用情報処理装置１００を適用することが可能である。
【０１０８】
この場合には、例えば、医用情報処理装置１００は、ネットワーク２００を介して各パーソナルコンピュータと接続される。そして、例えば、表示制御機能１５４が、各パーソナルコンピュータからの要求に応じて、種々の診療データを１つの画面上で表示する。また、特定機能１５１が、各パーソナルコンピュータのディスプレイ表示された複数種類の診療データの中から操作者が注目している診療データを検出し、当該診療データを主データとして特定する。また、取得機能１５２が、パーソナルコンピュータごとに、特定機能１５１によって特定された主データを基準として、主データとの関連度が高い診療データである周辺データを取得する。また、決定機能１５３が、パーソナルコンピュータごとに、それぞれのディスプレイの種別に応じて、画面構成を決定する。そして、表示制御機能１５４が、パーソナルコンピュータごとに、決定機能１５３によって決定された画面構成でディスプレイの表示画面に主データ及び周辺データを表示する。
【０１０９】
また、この場合に、例えば、決定機能１５３が、入力インタフェース１３０又は各パーソナルコンピュータを介して、１つのパーソナルコンピュータ又は１人の参加者を指定する操作を受け付ける。そして、当該操作を受け付けた場合に、決定機能１５３は、指定されたパーソナルコンピュータ又は参加者の表示画面に表示されている主データ及び周辺データの画面構成を高解像度ディスプレイ用の画面構成に切り替える。その後、表示制御機能１５４が、決定機能１５３によって切り替えられた画面構成で、指定されたパーソナルコンピュータ又は参加者の表示画面に表示されている主データ及び周辺データを高解像度ディスプレイに表示する。
【０１１０】
なお、上述した実施形態では、本明細書における特定部、取得部、決定部及び表示制御部を、それぞれ、処理回路１５０の特定機能１５１、取得機能１５２、決定機能１５３及び表示制御機能１５４によって実現する場合の例を説明したが、実施形態はこれに限られない。例えば、本明細書における特定部、取得部、決定部及び表示制御部は、実施形態で述べた特定機能１５１、取得機能１５２、決定機能１５３及び表示制御機能１５４によって実現する他にも、ハードウェアのみ、又は、ハードウェアとソフトウェアとの混合によって同機能を実現するものであっても構わない。
【０１１１】
また、上述した説明で用いた「プロセッサ」という文言は、例えば、ＣＰＵ（Central  Processing  Unit）、ＧＰＵ（Graphics  Processing  Unit）、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  Gate  Array：ＦＰＧＡ））等の回路を意味する。プロセッサは、記憶回路１２０に保存されたプログラムを読み出して実行することで、機能を実現する。なお、記憶回路１２０にプログラムを保存する代わりに、プロセッサの回路内にプログラムを直接組み込むように構成しても構わない。この場合は、プロセッサは回路内に組み込まれたプログラムを読み出して実行することで機能を実現する。また、本実施形態のプロセッサは、単一の回路として構成される場合に限らず、複数の独立した回路を組み合わせて一つのプロセッサとして構成され、その機能を実現するようにしてもよい。
【０１１２】
ここで、プロセッサによって実行されるプログラムは、ＲＯＭ（Read  Only  Memory）や記憶回路等に予め組み込まれて提供される。なお、このプログラムは、これらの装置にインストール可能な形式又は実行可能な形式のファイルでＣＤ（Compact  Disk）−ＲＯＭ、ＦＤ（Flexible  Disk）、ＣＤ−Ｒ（Recordable）、ＤＶＤ（Digital  Versatile  Disk）等のコンピュータで読み取り可能な記憶媒体に記録されて提供されてもよい。また、このプログラムは、インターネット等のネットワークに接続されたコンピュータ上に格納され、ネットワーク経由でダウンロードされることにより提供又は配布されてもよい。例えば、このプログラムは、上述した各機能部を含むモジュールで構成される。実際のハードウェアとしては、ＣＰＵが、ＲＯＭ等の記憶媒体からプログラムを読み出して実行することにより、各モジュールが主記憶装置上にロードされて、主記憶装置上に生成される。
【０１１３】
以上説明した少なくとも１つの実施形態によれば、操作者が種々の診療データを多角的に比較できるようになる。
【０１１４】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【０１１５】
１００  医用情報処理装置
１２０  記憶回路
１５０  処理回路
１５１  特定機能
１５２  取得機能
１５３  決定機能
１５４  表示制御機能
【図１】
2020067842.tif 000003
【図２】
2020067842.tif 000004
【図３】
2020067842.tif 000005
【図４】
2020067842.tif 000006
【図５】
2020067842.tif 000007
【図６】
2020067842.tif 000008
【図７】
2020067842.tif 000009
【図８】
2020067842.tif 000010
【図９】
2020067842.tif 000011
【図１０】
2020067842.tif 000012
【図１１】
2020067842.tif 000013
【図１２】
2020067842.tif 000014
【図１３】
2020067842.tif 000015
【図１４】
2020067842.tif 000016
【図１５】
2020067842.tif 000017
【図１６】
2020067842.tif 000018
【図１７】
2020067842.tif 000019
【図１８】
2020067842.tif 000020
【図１９】
2020067842.tif 000021
【図２０】
2020067842.tif 000022
【図２１】
2020067842.tif 000023
【図２２】
2020067842.tif 000024